(57)【特許請求の範囲】
【請求項１】
テーブルの下面に取り付けられる本体と、
前記本体に閉じ位置と開き位置との間を回転可能に支持されるフックアームと、を備え、
前記フックアームは、前記閉じ位置において、前記テーブルの前記下面に沿う延設部と、前記テーブルの側面に沿う引掛け部と、を有し、
前記開き位置にある前記引掛け部の少なくとも一部が、平面視で前記テーブルの下に隠れるように、前記フックアームの回転軸が前記テーブルの前記側面よりも前記テーブルの奥に配置され、
前記引掛け部に荷物が引っ掛けられるフック。
【請求項２】
前記フックアームの前記回転軸は、前記テーブルの前記下面よりも上に配置されることを特徴とする請求項１に記載のフック。
【請求項３】
前記本体は、前記テーブルの前記下面側にのみ存在し、前記テーブルの前記側面側に存在しないことを特徴とする請求項１又は２に記載のフック。
【請求項４】
前記本体は、前記テーブルの前記下面の掘込みに嵌められるハウジング部と、前記テーブルの前記下面に接するフランジ部を有し、
前記フランジ部には、前記閉じ位置にある前記延設部が嵌まる切欠きが設けられることを特徴とする請求項１ないし３のいずれか１項に記載のフック。
【発明の詳細な説明】
【技術分野】
【０００１】
本発明は、バッグ等の荷物が引っ掛けられるフックに関する。
【背景技術】
【０００２】
この種のフックとして、荷物が引っ掛けられるフックアームを受座に一体にし、受座を壁面に取り付けるものがよく知られている。しかしながら、この種のフックには、壁面から突出するフックアームが邪魔になるという課題がある。
【０００３】
近年、ＡＴＭ（automated teller machine）、飲食店のカウンター、飲食店のテーブル、会議室のテーブル等にもフックを取り付けることが望まれている。これらにフックを取り付けることができれば、荷物を引っ掛けることができて便利である。しかしながら、テーブルの側面にフックを取り付けると、テーブルの側面からフックアームが突出するので、邪魔になるという課題がある。
【０００４】
この課題を解決するために、特許文献１には、本体に対してフックアームを回転可能にしたフックが開示されている。本体は、テーブルの上面に接する水平板と、テーブルの側面に接する垂直板と、を有してＬ字状に形成される。フックアームは、閉じ位置と開き位置との間を回転する。フックアームは、閉じ位置において、起立し、垂直板に収容される。一方、フックアームは、開き位置において、荷物を引っ掛けられるように、正面視で前方に突出する。
【０００５】
特許文献２にも、本体に対してフックアームを閉じ位置と開き位置との間で回転可能にしたフックが開示されている。特許文献２に記載のフックでは、本体はテーブルの下面に取り付けられる。フックアームは、閉じ位置において、テーブルの下面に隠れるように、テーブルの下面と平行になる。一方、フックアームは、開き位置において、荷物を引っ掛けられるように、テーブルの下面と垂直になる。
【先行技術文献】
【特許文献】
【０００６】
【特許文献１】特開２００４−２５５１１５号公報
【特許文献２】特開平９−１００４０号公報
【発明の概要】
【発明が解決しようとする課題】
【０００７】
特許文献１に記載のフックにあっては、閉じ位置において、フックアームが起立して本体に収容されるので、フックアームが邪魔になるのを防止できる。しかしながら、開き位置において、フックアームが前方に突出するので、やはりフックアームが邪魔になるという課題がある。
【０００８】
特許文献２に記載のフックにあっては、閉じ位置においても開き位置においてもフックアームがテーブルの下に隠れる。このため、フックアームが邪魔になるのを防止できる。しかしながら、閉じ位置にあるフックアームがテーブルの下に隠れるがゆえ、使用者がフックアームがあることに気付きにくいという課題がある。
【０００９】
そこで本発明は、閉じ位置でも開き位置でもフックアームが邪魔になるのを防止でき、またフックアームがあることにも気付き易いフックを提供することを目的とする。
【課題を解決するための手段】
【００１０】
上記課題を解決するために、本発明の一態様は、テーブルの下面に取り付けられる本体と、前記本体に閉じ位置と開き位置との間を回転可能に支持されるフックアームと、を備え、前記フックアームは、前記閉じ位置において、前記テーブルの前記下面に沿う延設部と、前記テーブルの側面に沿う引掛け部と、を有し、前記開き位置にある前記引掛け部の少なくとも一部が、平面視で前記テーブルの下に隠れるように、前記フックアームの回転軸が前記テーブルの前記側面よりも前記テーブルの奥に配置され、前記引掛け部に荷物が引っ掛けられるフックである。
【発明の効果】
【００１１】
本発明によれば、閉じ位置でも開き位置でもフックアームが邪魔になるのを防止できる。また、閉じ位置にあるフックアームの引掛け部が、テーブルの側面に現れるので、フックアームがあることにも気付き易い。
【図面の簡単な説明】
【００１２】
【図１】テーブルに取り付けられた本発明の第一の実施形態のフックの下面側斜視図（図１（ａ）はフックアームの閉じ位置を示し、図１（ｂ）はフックアームの開き位置を示す）である。
【図２】テーブルから取り外した本実施形態のフックの底面側斜視図（図２（ａ）はフックアームの閉じ位置を示し、図２（ｂ）はフックアームの開き位置を示す）である。
【図３】フックアームが閉じ位置にあるときのフックの詳細図（図３（ａ）はフックの正面図、図３（ｂ）は図３（ａ）のＡ−Ａ線断面図、図３（ｃ）は図３（ａ）のＢ−Ｂ線断面図）である。
【図４】フックアームが開き位置にあるときのフックの詳細図（図４（ａ）はフックの正面図、図４（ｂ）は図４（ａ）のＡ−Ａ線断面図、図４（ｃ）は図４（ａ）のＢ−Ｂ線断面図）である。
【図５】テーブルの上面側から見たテーブル及びフックアームの斜視図（図５（ａ）はフックアームの閉じ位置を示し、図５（ｂ）はフックアームの開き位置を示す）である。
【図６】平面視したテーブル及びフックの平面図（図６（ａ）はフックアームの閉じ位置を示し、図６（ｂ）はフックアームの開き位置を示す）である。
【図７】テーブル及びフックの側面図（図７（ａ）はフックアームの閉じ位置を示し、図７（ｂ）はフックアームの開き位置を示す）である。
【図８】フックアームに荷物を引っ掛けた状態を示す底面側斜視図である。
【発明を実施するための形態】
【００１３】
以下、添付図面に基づいて、本発明の実施形態のフックを詳細に説明する。ただし、本発明のフックは、種々の形態で具体化することができ、本明細書に記載される実施形態に限定されるものではない。本実施形態は、明細書の開示を十分にすることによって、当業者が発明の範囲を十分に理解できるようにする意図をもって提供されるものである。
【００１４】
図１は、テーブル１に取り付けられた本発明の第一の実施形態のフック２の下面側斜視図を示す。図１（ａ）がフックアーム４の閉じ位置を示し、図１（ｂ）がフックアーム４の開き位置を示す。テーブル１は、上面１ａ、下面１ｂ、側面１ｃを有する。なお、図１には、矩形に切り取ったテーブル１の一部のみが示される。
【００１５】
フック２は、テーブル１の下面１ｂの、側面１ｃ近傍に取り付けられる本体３と、本体３に閉じ位置と開き位置との間を回転可能に支持されるフックアーム４と、を備える。本体３は、テーブル１の下面１ｂ側にのみ存在し、テーブル１の側面１ｃ側に存在しない。図１（ａ）に示すように、フックアーム４は、閉じ位置において、テーブルの下面１ｂに沿う延設部４ｂと、テーブル１の側面１ｃに沿う引掛け部４ａと、を有する。図１（ｂ）に示すように、フックアーム４は開き位置において、テーブル１の下方に移動する。開き位置にあるフックアーム４に、バック等の荷物Ｂが引っ掛けられる（図８参照）。
【００１６】
図２は、テーブル１から取り外したフック２の底面側斜視図を示す。図１と同様に、図２（ａ）がフックアーム４の閉じ位置を示し、図２（ｂ）がフックアーム４の開き位置を示す。本体３は、テーブル１の下面１ｂの掘込みに嵌められる箱形のハウジング部３ａと、ハウジング部３ａの下端部から張り出す円形のフランジ部３ｂと、を備える。ハウジング部３ａには、フックアーム４の基端部４ｃ、フックアーム４を閉じ位置に保持する保持手段としてのねじりコイルばね５（図３（ｂ）参照）、ダンパ８（図３（ｃ）参照）が収容される。ハウジング部３ａの下端には、フックアーム４の延設部４ｂに当接して、フックアーム４の閉じ位置を決める半球面状のストッパ６が設けられる。フックアーム４の延設部４ｂには、ストッパ６が嵌る溝４ｂ１が形成される。閉じ位置にあるフックアーム４をテーブル１の下面１ｂのできるだけ近くに沿わせるためである。
【００１７】
フランジ部３ｂには、本体３をテーブル１の下面１ｂに取り付けるためのねじが通る通し穴３ｂ１が設けられる。フランジ部３ｂは、テーブル１の下面１ｂに接する（図１参照）。フランジ部３ｂには、閉じ位置にある延設部４ｂが嵌まる切欠き３ｂ２が形成される。
【００１８】
図３は、フックアーム４が閉じ位置にあるときのフック２の詳細図を示す。図３（ａ）はフック２の正面図、図３（ｂ）は図３（ａ）のＡ−Ａ線断面図、図３（ｃ）は図３（ａ）のＢ−Ｂ線断面図を示す。図３（ｂ）に示すように、フックアーム４は、引掛け部４ａ、延設部４ｂ、基端部４ｃを有し、側面視で全体がＵ字状に形成される。
【００１９】
基端部４ｃには、回転軸７が設けられる。回転軸７は、フランジ部３ｂの上面３ｂ３（すなわちテーブル１の下面１ｂ）よりも上に、かつテーブル１の側面１ｃよりもテーブル１の奥に配置される（図１参照）。回転軸７は、本体３に対してフックアーム４を回転させることができるものであれば、フックアーム４に回転不能に固定されても、本体３に回転不能に固定されてもよい。
【００２０】
延設部４ｂは、直線状に水平方向に延ばされる。延設部４ｂは、テーブル１の下面１ｂと略平行である（図７（ａ）参照）。
【００２１】
引掛け部４ａは、延設部４ｂに対して略直角に曲がる。引掛け部４ａは、直線状に垂直方向に延ばされる。引掛け部４ａは、テーブル１の側面１ｃと略平行である（図７（ａ）参照）。
【００２２】
引掛け部４ａの上端部には、テーブル１の側面１ｃに向かって突出する外れ止め４ａ１が設けられる。この外れ止め４ａ１は、引掛け部４ａに引っ掛けられた荷物Ｂが脱落するのを防止する役割を持つ（図８参照）。また、この外れ止め４ａ１は、テーブル１の側面１ｃと引掛け部４ａとの間の隙間を確保し、使用者が引掛け部４ａに指を掛け易くする役割も持つ（図７（ａ）参照）。
【００２３】
図３（ｂ）、図３（ｃ）に示すように、ハウジング部３ａには、フックアーム４の基端部４ｃ、ねじりコイルばね５、ダンパ８が収容される。ねじりコイルばね５は、回転軸７に巻かれていて、フックアーム４を閉じ方向に付勢するように設けられる。
【００２４】
ダンパ８は、歯車が固定された回転軸と、回転軸の回転を制動するダンパ本体と、を有する公知のロータリーダンパである。フックアーム４の基端部４ｃには、ダンパ８の歯車に噛み合う部分歯車４ｃ１が形成される。ダンパ８は、ねじりコイルばね５で付勢されたフックアーム４が閉じ位置にゆっくり回転するようにする。
【００２５】
図４は、フックアーム４が開き位置にあるときのフック２の詳細図を示す。図４（ｂ）、図４（ｃ）に示すように、使用者がねじりコイルばね５の付勢力に抗してフックアーム４を開き方向に回転させると、フックアーム４の延設部４ｂが垂直方向を向く手前でフックアーム４の基端部４ｃがハウジング部３ａに当接する。この当接位置がフックアーム４の開き位置である。使用者が開き位置にあるフックアーム４に荷物Ｂを引っ掛けると、フックアーム４は荷物Ｂの重さによって開き位置を保つ。
【００２６】
図５は、テーブル１の上面１ａ側から見たテーブル１及びフックアーム４の斜視図を示し、図６は、平面視したテーブル１及びフック２の平面図を示し、図７は、テーブル１及びフック２の側面図を示す。図５（ａ）、図６（ａ）、図７（ａ）に示すように、フックアーム４が閉じ位置にあるとき、フックアーム４の引掛け部４ａがテーブル１の側面１ｃに現れる。テーブル１の上面１ａ側から引掛け部４ａを視認できるので、使用者はフックアーム４があることに気付くことができる。また、閉じ位置にあるフックアーム４の引掛け部４ａは、テーブル１の側面１ｃに沿う。このため、テーブル１の側面１ｃに現れた引掛け部４ａが邪魔になるのを防止できる。
【００２７】
図５（ｂ）、図６（ｂ）、図７（ｂ）に示すように、フックアーム４が開き位置にあるとき、フックアーム４はテーブル１の下に隠れる。詳しくは、平面視でフックアーム４の引掛け部４ａがテーブル１の下に隠れるように、引掛け部４ａがテーブル１の下方にかつテーブル１の側面１ｃよりも奥に移動する。フックアーム４の回転軸７がテーブル１の側面１ｃよりもテーブル１の奥に配置されるからである。フックアーム４がテーブル１の下に隠れるので、開き位置にあるフックアーム４が邪魔になるのを防止できる。なお、この実施形態では、平面視で引掛け部４ａの全体がテーブル１の下に隠れているが、平面視で引掛け部４ａの一部のみが隠れるようにすることもできる。
【００２８】
図８に示すように、開き位置にあるフックアーム４には、荷物Ｂが引っ掛けられる。フックアーム４はテーブル１の側面１ｃの近傍にあるので、フックアーム４へ荷物を掛けたり、外したりするのが容易である。
【００２９】
本実施形態のフック２によれば、さらに以下の効果を奏する。フックアーム４の回転軸７が、テーブル１の下面１ｂよりも上に配置されるので、閉じ位置にあるフックアーム４が開き位置に向かって回転するとき、テーブル１の側面１ｃからのフックアーム４の突出量を抑えることができる。
【００３０】
フック２の本体３がテーブル１の下面１ｂ側にのみ存在し、側面１ｃ側に存在しないので、本体３が側面１ｃ側に存在して邪魔になるのを防止できる。また、テーブル１の掃除も容易である。
【００３１】
本体３のフランジ部３ｂに、閉じ位置にあるフックアーム４の延設部４ｂが嵌る切欠き３ｂ２を設けるので、閉じ位置にあるフックアーム４に何かが当たっても、フックアーム４が振らつくのを防止できる。
【００３２】
なお、本発明は上記実施形態に限られることはなく、本発明の要旨を変更しない範囲で他の実施形態に変更可能である。
【００３３】
例えば、上記実施形態では、フックアームを閉じ位置に保持する保持手段として、フックアームを閉じ方向に付勢するねじりコイルばねを用いているが、フックアーム及び本体の弾性を用いてフックアームを閉じ位置に保持するスナップフィット、磁石の吸引力を用いてフックアームを閉じ位置に保持するマグネットキャッチ等を用いることもできる。
【００３４】
上記実施形態では、本体にフックアームを制動するダンパを設けているが、ダンパを省略することもできる。
【符号の説明】
【００３５】
１…テーブル
１ａ…テーブルの上面
１ｂ…テーブルの下面
１ｃ…テーブルの側面
２…フック
３…本体
３ａ…ハウジング部
３ｂ…フランジ部
３ｂ２…切欠き
４…フックアーム
４ａ…引掛け部
４ｂ…延設部
４ｃ…基端部
７…回転軸
Ｂ…荷物
【図１】
0006664838.tif 000002
【図２】
0006664838.tif 000003
【図３】
0006664838.tif 000004
【図４】
0006664838.tif 000005
【図５】
0006664838.tif 000006
【図６】
0006664838.tif 000007
【図７】
0006664838.tif 000008
【図８】
0006664838.tif 000009